(57)【要約】【課題】  照明装置と表示装置とを整然かつ容易にハンドルに装着できるようにするとともに、表示装置の表示を最小限の視線の移動で確認できるようにする。【解決手段】  照明装置１０は、自転車に装着され交流発電機からの電力により点灯する装置であって、ケース４０と、発光体４１ａ，４１ｂと、装置装着部４２とを備えている。ケース４０は、自転車のハンドルバー１５に装着可能なものである。発光体４１ａ，４１ｂは、ケース４０に収納され交流発電機から供給される電力で点灯する。装置装着部４２は、ケース４０の表面に設けられ、サイクルコンピュータ１１を着脱自在に装着可能なものである。【選択図】      図６
2005225426.tif 000002
【特許請求の範囲】
【請求項１】
自転車に装着され電源からの電力により点灯する自転車用照明装置であって、
前記自転車のハンドルに装着可能なケースと、
前記ケースに収納され前記電源から供給される電力で点灯する少なくともひとつの発光体と、
前記ケースの表面に設けられ、自転車用表示装置を着脱自在に装着可能な表示装置装着部と、
を備えた自転車用照明装置。
【請求項２】
前記電源は、自転車の回転部の回転により発電する交流発電機であり、
前記交流発電機から供給された電力から前記自転車の回転部の回転状態を示す回転信号を生成する回転信号生成部と、
前記生成された回転信号又は前記生成された回転信号から計算される自転車の走行状態を示す走行状態データを外部に出力する信号出力部とをさらに備える、請求項１に記載の自転車用照明装置。
【請求項３】
前記信号出力部は、前記回転信号又は前記走行状態データを出力するための信号出力接点を有する、請求項２に記載の自転車用照明装置。
【請求項４】
前記信号出力接点は、前記表示装置装着部に設けられている、請求項３に記載の自転車用照明装置。
【請求項５】
前記交流発電機から供給された交流を直流に変換する変換部と、
前記変換された直流を外部に出力する直流出力部とをさらに備える、請求項１から４のいずれか１項に記載の自転車用照明装置。
【請求項６】
前記直流出力部は、前記直流を出力するための電源出力接点を有する、請求項５に記載の自転車用照明装置。
【請求項７】
前記電源出力接点は、前記表示装置装着部に設けられている、請求項６に記載の自転車用照明装置。
【請求項８】
前記ケースは、前記自転車のハンドルバーに装着可能なブラケットと、前記ブラケットに着脱自在に設けられ、前記発光体が収納されるケース本体とを有し、
前記表示装置装着部は、前記ケース本体の表面に設けられている、請求項１から７のいずれか１項に記載の自転車用照明装置。
【請求項９】
前記ケースに収納され外部の照度を検出可能な照度センサと、
前記照度センサの検出出力に応じて前記発光体をオンオフ制御する点灯制御部をさらに備える、請求項１から８のいずれか１項に記載の自転車用照明装置。
【請求項１０】
前記信号出力部は、前記回転信号又は前記走行状態データを無線により出力する、請求項２及び５から９のいずれか１項に記載の自転車用照明装置。
【請求項１１】
請求項６から９のいずれか1項に記載の自転車用照明装置に装着可能な自転車用表示装置であって、
前記表示装置装着部に着脱自在に装着可能な表示ケースと、
前記表示ケースに収納され少なくとも自転車の速度を表示可能な表示部と、
外部で生成される自転車の回転部の回転信号又は前記走行状態データを入力する信号入力部と、
前記入力された回転信号又は走行状態データに基づいて前記表示部を表示制御する表示制御部と、
を備えた自転車用表示装置。
【請求項１２】
前記信号入力部は、前記表示ケースを前記表示装置装着部に装着したときに前記信号出力接点に電気的に接続される信号入力接点を有する、請求項１１に記載の自転車用表示装置。
【請求項１３】
前記表示ケースを前記表示装置装着部に装着したときに前記電源出力接点に電気的に接続される電源入力接点さらに備える、請求項１１又は１２に記載の自転車用表示装置。
【請求項１４】
前記入力された回転信号から前記自転車の速度を算出する速度算出部をさらに備える、請求項１１から１３のいずれか１項に記載の自転車用表示装置。
【発明の詳細な説明】
【技術分野】
【０００１】
本発明は、自転車に装着され電源からの電力により点灯する自転車用照明装置及び自転車用照明装置に装着可能な自転車用表示装置に関する。
【背景技術】
【０００２】
スポーツ用のロードバイクやマウンテンバイクなどのスポーツ用の自転車の場合、前照灯としてのランプ（自転車用照明装置の一例）がハンドルバーに装着されることがある。ハンドルバーには、ブレーキレバーや変速レバーが装着されたり、サイクルコンピュータ（自転車用表示装置の一例）と呼ばれる走行速度や走行距離を表示する走行状態表示装置が装着されたりすることがある。サイクルコンピュータは、通常、盗難防止のために、ハンドルバーに装着可能なブラケットと、ブラケットに着脱自在に装着可能な表示部本体とを有している。また、最近では、ハンドルバーの中心部に前後の変速装置の変速位置を示す変速インジケータと呼ばれる変速位置表示装置が装着されることがある。
【０００３】
表示装置、ランプともハンドルバーの中心付近に取り付けるのが本来好ましい。すなわち、表示装置に関してはほぼ前方正面を向いた状態で視線をやや下方に向けるだけで表示を確認することができ、ランプに関しては中心に取り付ければ確実に進路前方を照明することができるからである。しかしながら、表示装置、ランプのいずれもハンドルバーの中心付近に取り付けるのは、長さの制限及びハンドルバー中心付近の空間的制限からなかなか難しい。
【０００４】
このような課題を解決する従来技術として、ランプとサイクルコンピュータなどの表示装置とを装着可能な取付ブラケットが従来知られている（特許文献１参照）。この取付ブラケットは、ハンドルバーに装着可能な装着部と、装着部から前後に延びる２つのアーム部と、各アーム部の先端に固定された機器取付部とを備えている。機器取付部は、パイプ状に形成されており、ハンドルバーに装着可能なランプや表示装置をそのまま装着できる構造である。具体的には、ランプは、前方を照らさなければならないため、前方側の機器取付部に装着され、表示装置は、後方側の機器取付部に装着されている。
【特許文献１】独国  ＤＥ２０１１９４９９Ｕ１公報
【発明の開示】
【発明が解決しようとする課題】
【０００５】
前記従来の構成では、ランプとともに表示装置を一括してハンドルバーに装着できる。しかし、ランプと表示装置とを別々に機器取付部に装着しなければならない。このため、ランプや表示装置の装着が煩わしい。また、ランプや表示装置を別々の機器取付部に装着しなければならないので、それらを機器取付部に装着すると２つの装置が装着されて、ハンドルバー周りの外観がごちゃごちゃして見栄えが悪くなる。また、表示装置が、後方側の機器取付部に装着されているので運転者側に突き出てしまい、表示を確認するときにかなり手前に視線をずらさなければならない。
【０００６】
本発明の課題は、自転車用照明装置と自転車用表示装置とを整然かつ容易にハンドルに装着できるようにするとともに、表示装置の表示を最小限の視線の移動で確認できるようにすることにある。
【課題を解決するための手段】
【０００７】
発明１に係る自転車用照明装置は、自転車に装着され電源からの電力により点灯する装置であって、ケースと、発光体と、表示装置装着部とを備えている。ケースは、自転車のハンドルに装着可能なものである。発光体は、ケースに収納され電源から供給される電力で点灯する少なくともひとつのものである。表示装置装着部は、ケースの表面に設けられ、自転車用表示装置を着脱自在に装着可能なものである。
【０００８】
この照明装置では、ハンドルにケースを装着すると、そのケースの表面に設けられた表示装置装着部にサイクルコンピュータや変速インジケータなどの表示装置を着脱自在に装着できる。ここでは、ケースの表面に表示装置装着部を設けたので、表示装置をケース表面に装着できる。このため、ハンドル周りの外観がすっきりした形状になり、照明装置と表示装置とを整然かつ容易にハンドルに装着できるようになる。また、表示装置の表示を視線を僅かに下方に向けるだけで確認できる。しかも、表示装置を装着するためのブラケットを特別に用意しなくてよいので、表示装置の構成も簡素になる。
【０００９】
発明２に係る自転車用照明装置は、発明１に記載の装置において、電源は、自転車の回転部の回転により発電する交流発電機であり、交流発電機から供給された電力から自転車の回転部の回転状態を示す回転信号を生成する回転信号生成部と、生成された回転信号又は生成された回転信号から計算される自転車の走行状態を示す走行状態データを外部に出力する信号出力部とをさらに備える。この場合には、交流発電機から供給された電力により回転信号が得られ、その回転信号又は回転信号から計算される、たとえば、速度や走行距離などの走行状態データが外部に出力されるので、表示装置で回転信号又は走行状態データを受け取ることにより、走行状態を検知するためのセンサが不要になる。
【００１０】
発明３に係る係る自転車用照明装置は、発明２に記載の装置において、信号出力部は、回転信号又は走行状態データを出力するための信号出力接点を有する。この場合には、信号出力接点と電気的な接続可能な接点を表示装置に設けることにより、表示装置に照明装置から回転信号又は走行状態データを簡単に出力できる。
【００１１】
発明４に係る自転車用照明装置は、発明３に記載の装置において、信号出力接点は、表示装置装着部に設けられている。この場合には、信号出力接点と電気的な接続可能な接点を表示装置に設けることにより、表示装置を表示装置装着部に装着するだけで表示装置に照明装置から回転信号又は走行状態データを出力できる。
【００１２】
発明５に係る自転車用照明装置は、発明１から４のいずれかに記載の装置において、交流発電機から供給された交流を直流に変換する変換部と、変換された直流を外部に出力する直流出力部とをさらに備える。この場合には直流電流を外部に出力できるので、表示装置の電源が不要になる。
【００１３】
発明６に係る自転車用照明装置は、発明５に記載の装置において、直流出力部は、直流を出力するための電源出力接点を有する。この場合には、電源出力接点と電気的な接続可能な接点を表示装置に設けることにより、表示装置に照明装置から電力を供給できる。
【００１４】
発明７に係る自転車用照明装置は、発明６に記載の装置において、電源出力接点は、表示装置装着部に設けられている。この場合には、表示装置を表示装置装着部に装着するだけで表示装置に照明装置から電源を供給できる。
【００１５】
発明８に係る自転車用照明装置は、発明１から７のいずれかに記載の装置において、ケースは、自転車のハンドルバーに装着可能なブラケットと、ブラケットに着脱自在に設けられ、発光体が収納されるケース本体とを有し、表示装置装着部は、ケース本体の表面に設けられている。この場合には、表示装置が装着された状態でケース本体をブラケットから外せるので、駐輪時等にケース本体を表示装置とともに取り外すことにより盗難を防止できる。
【００１６】
発明９に係る自転車用照明装置は、発明１から８のいずれかに記載の装置において、ケースに収納され外部の照度を検出可能な照度センサと、照度センサの検出出力に応じて発光体をオンオフ制御する点灯制御部をさらに備える。この場合には、周囲の明暗に応じて発光体を自動的にオンオフでき、ライダーの点灯操作が不要になる。
【００１７】
発明１０に係る自転車用照明装置は、発明１に記載の装置において、信号出力部は、回転信号又は走行状態データを無線により出力する。この場合には、回転信号又は走行状態データを出力するための接点等が不要になる。
【００１８】
発明１１に係る自転車用表示装置は、請求項６から９のいずれかに記載の自転車用照明装置に装着可能な装置であって、表示ケースと、表示部と、信号入力部と、表示制御部とを備えている。表示ケースは、表示装置装着部に着脱自在に装着可能なものである。表示部は、表示ケースに収納され少なくとも自転車の速度を表示可能なものである。信号入力部は、外部で生成される自転車の回転部の回転信号又は走行状態を示す走行状態データを入力するものである。表示制御部は、入力された回転信号又は走行状態データに基づいて表示部を表示制御する。
【００１９】
この場合には、表示装置の表示ケースを表示装置装着部に装着する。また信号出力部から出力された回転信号又は走行状態データを入力し、それに基づき表示制御部が表示部を制御して速度を表示部に表示する。ここでは、表示装置を照明装置の表示装置装着部に装着すると、照明装置からの回転信号又は走行状態データにより速度を表示部に表示できるので、自転車の回転部の回転を検知するためのセンサが不要になる。また、照明装置と表示装置とをハンドルに取り付けてもハンドル周りの外観をすっきりした形状にできるとともに、照明装置と表示装置とをハンドルに容易に取り付けできるようになる。
【００２０】
発明１２に係る自転車用表示装置は、発明１１に記載の装置において、信号入力部は、表示ケースを表示装置装着部に装着したときに信号出力接点に電気的に接続される信号入力接点を有する。この場合には、この場合には、表示装置を表示装置装着部に装着するだけで表示装置に照明装置から回転信号又は走行状態データを出力できる。
【００２１】
発明１２に係る自転車用表示装置は、発明１１又は１２に記載の装置において、表示ケースを表示装置装着部に装着したときに電源出力接点に電気的に接続される電源入力接点さらに備える。この場合には、表示装置を表示装置装着部に装着するだけで表示装置に照明装置から電源を供給できる。
【００２２】
発明１４に係る自転車用表示装置は、発明１１から１３のいずれかに記載の装置において、入力された回転信号から自転車の速度を算出する速度算出部をさらに備える。この場合には、照明装置から回転信号を出力するだけで速度を表示することができる。
【発明の効果】
【００２３】
本発明によれば、ケースの表面に表示装置装着部を設けたので、表示装置をケース表面に装着できる。このため、ハンドル周りの外観がすっきりした形状になり、照明装置と表示装置とを整然かつ容易にハンドルに装着できるようになる。また、表示装置の表示を視線を僅かに下方に向けるだけで確認できる。しかも、表示装置を装着するためのブラケットを特別に用意しなくてよいので、表示装置の構成も簡素になる。
【発明を実施するための最良の形態】
【００２４】
図１において、本発明の一実施形態が採用された自転車は、マウンテンバイクと呼ばれる不整地走行が可能なものである。自転車は、ダイヤモンド形のフレーム体２とフロントフォーク３とを有するフレーム１と、ハンドル部４と、駆動部５と、ダイナモハブ８が装着された前輪６と、後輪７と、前後のブレーキ装置９ｆ，９ｒとを備えている。ハンドル部４には、自転車の前方を照射するための照明装置（自転車用照明装置の一例）１０が装着されている。また、照明装置１０には、速度や走行距離などの走行状態を表示するサイクルコンピュータ（自転車用表示装置の一例）１１が着脱自在に装着されている。
【００２５】
フレーム１のフレーム体２は、パイプを溶接して製作されたものである。フレーム体２には、サドル１３や駆動部５を含む各部が取り付けられている。フロントフォーク３は、フレーム体２の前部に斜めに傾いた軸回りに揺動自在に装着されている。
【００２６】
ハンドル部４は、フロントフォーク３の上部に固定されたハンドルステム１４と、ハンドルステム１４に固定されたハンドルバー１５とを有している。ハンドルバー１５の両端には前後のブレーキ装置９ｆ，９ｒを操作するためのブレーキレバー１６とグリップ１７とが装着されている。左右のブレーキレバー１６には外装変速装置３９ｆ，３９ｒ（後述）を変速操作するための変速レバー（図示せず）が一体又は別体で設けられている。
【００２７】
駆動部５は、フレーム体２の下部（ハンガー部）に設けられたギアクランク３７と、ギアクランク３７に掛け渡されたチェーン３８と、前後の外装変速装置３９ｆ，３９ｒとを有している。
【００２８】
フロントフォーク３の先端に固定された前輪６のダイナモハブ８は、内部に前輪６の回転により発電する交流発電機１９（図７参照）を有している。
【００２９】
〔照明装置の構成〕
照明装置１０は、図２から図６に示すように、ハンドルバー１５に着脱自在に装着可能なケース４０と、ケース４０に収納され電源から供給される電力で点灯する２つの発光体４１ａ，４１ｂ（図３）と、ケース４０の表面に設けられ、サイクルコンピュータ１１を着脱自在に装着可能な装置装着部４２と、装置装着部４２をカバーする蓋部材４３と、発光体４１ａ，４１ｂをオンオフ制御するランプ制御部４５（図７）とを備えている。
【００３０】
ケース４０は、ハンドルバー１５に着脱自在に固定される円形帯状のクランプ部５０ａを有するブラケット５０と、ブラケット５０に固定されたケース本体５１とを有している。クランプ部５０ａは、一部にスリットが形成されたものであり、クランプ部５０ａをハンドルバー１５に取り付けた後に取付ボルト５２でクランプ部５０ａを締め付けることにより、ブラケット５０がハンドルバー１５に固定される。ケース本体５１の先端側には、二股に分かれた筒状の１対のランプ収納部５１ａ，５１ｂが形成されているとともに、基端側には、ランプ制御部４５などが収納される制御部収納部５１ｃが形成されている。この制御部収納部５１ｃの表面に装置装着部４２が形成されている。ランプ収納部５１ａには、発光体４１ａが収納され、ランプ収納部５１ｂには、発光体４１ｂが収納されている。
【００３１】
発光体４１ａは、たとえば、キセノンバルブからなる電球を用いており、発光体４１ｂは、たとえば、複数の白色ＬＥＤを用いている。発光体４１ａは、たとえば主に遠方部分を狭い照射角で照射し、発光体４１ｂは、たとえば自転車の近傍を大きな照射角で照射する。
【００３２】
装置装着部４２は、ケース本体５１の制御部収納部５１ｃの表面に略矩形に凹んで形成されている。装置装着部４２には、サイクルコンピュータ１１に係合する１対の装着スリット４２ａが側壁部に装着方向（前後方向）に沿って形成されている。また、装置装着部４２の後部には、サイクルコンピュータ１１を着脱するための弾性係止部４２ｂが形成されている。弾性係止部４２ｂは、サイクルコンピュータ１１を装置装着部４２に保持するために上下に移動可能に設けられており、サイクルコンピュータ１１が装置装着部４２に確実に装着されるとサイクルコンピュータ１１の後部を係止する。
【００３３】
装置装着部４２の底部には、照明装置１０からサイクルコンピュータ１１に速度信号（走行状態データの一例）を出力するための１対の信号出力接点４２ｃと、照明装置１０からサイクルコンピュータ１１に電力を供給するための１対の電源出力接点４２ｄとが半球状に突出して設けられている。また、装着装着部４２の底部において１対の信号出力接点４２ｃ及び１対の電源出力接点４２ｄの間には前後に長い係止溝４２ｅが形成されている。この係止溝４２ｅの後端部に弾性係止部４２ｂが形成されている。弾性係止部４２ｂは、係止溝４２ｅの後部で進退可能でありかつ自身の弾性により進出方向に付勢されている。弾性係止部４２ｂには、サイクルコンピュータ１１を取り外すときに弾性係止部４２ｂを下降させて係止溝４２ｅに退入させる着脱操作部４２ｆが一体形成されている。
【００３４】
蓋部材４３は、サイクルコンピュータ１１を照明装置１０に装着しないときに、装置装着部４２を保護するために設けられている。蓋部材４３は、サイクルコンピュータ１１と同様に装置装着部４２に装着可能であり、装置装着部４２に形成された装着スリット４２ａに係合する装着凸部（図示せず）を有している。また、弾性係止部４２ｂにより装置装着部４２に係止される。
【００３５】
図７に示すように、ランプ制御部４５は、たとえば、マイクロコンピュータを有しており、交流発電機１９から供給される交流で点灯する発光体４１ａ，４１ｂをオンオフ制御するとともに、交流発電機１９から出力される前輪６の回転に応じた回転信号から速度信号を生成してサイクルコンピュータ１１に出力する。ランプ制御部４５には、照度センサ６０と，オートライト回路６１と、ダイナモ波形成形回路６２と、充電整流回路６３とが接続されている。また、ランプ制御部４５には、たとえば、大容量コンデンサ等の蓄電素子から供給される電力が供給されている。
【００３６】
照度センサ６０は、発光体４１ａ，４１ｂのオンオフ制御のために使用されるセンサである。オートライト回路６１は、発光体４１ａ，４１ｂをオンオフするとともにそれらを駆動するための回路である。ダイナモ波形成形回路６２は、交流発電機１９から出力される交流波形から、回転信号を取り出すものである。充電整流回路６３は、交流発電機１９から出力たとえば最大１２ボルトの交流をたとえば５ボルトの直流に変換し蓄電素子６５に蓄えるものである。
【００３７】
ランプ制御部４５は、照度センサ６０から出力される信号により自転車の周囲の明るさを判断し、オートライト回路６１に発光体４１ａ，４１ｂをオンオフするオンオフ信号を出力する。また、ダイナモ波形成形回路６２から出力された回転信号により速度信号を生成して信号出力接点４２ｃから出力する。さらに、充電整流回路６３の過充電を監視する。蓄電素子６５に蓄えられた電力はランプ制御部４５に供給されるとともに、電源出力接点４２ｄを介して外部に出力される。
【００３８】
〔サイクルコンピュータの構成〕
サイクルコンピュータ１１は、図３，図５及び図７に示すように、装置装着部４２に着脱自在に装着可能な表示ケース７０と、表示ケース７０に収納される液晶表示部７１と、照明装置１０で生成された速度信号を入力する信号入力部としての１対の信号入力接点７２と、照明装置１０からの電力を受け取るための電源入力接点７３とを有している。
【００３９】
表示ケース７０は、外観が丸みをおびた矩形枠状に形成されたものであり、内部に表示制御部７５が収納されている。表示ケース７０の底部７０ａには、他の部分より突出する装着係止部７０ｂが設けられている。装着係止部７０ｂは、照明装置１０の装置装着部４２に着脱自在に固定される部分である。装着係止部７０ｂの両側面には、両側方に突出する１対の係止突起７０ｃが形成されている。この係止突起７０ｃが装置装着部４２の装着スリット４２ａに係合してサイクルコンピュータ１１が照明装置１０に装着される。
【００４０】
装着係止部７０ｂの底面には、信号入力接点７２と電源入力接点７３とが板状に形成さている。信号入力接点７２及び電源入力接点７３は、サイクルコンピュータ１１を装置装着部４２に装着したとき、それぞれ信号出力接点４２ｃ及び電源出力接点４２ｄに対向する位置に配置されている。また、装着係止部７０ｂの底面には、弾性係止部４２ｂを押圧するとともに弾性係止部４２ｂに係止される突起部７０ｄが形成されている。
【００４１】
液晶表示部７１は、たとえば、モノクロのセグメント方式の液晶ディスプレイであり、表示ケース７０から外部に露出して設けられている。液晶表示部７１は、自転車の車速や走行距離を表示可能である。表示制御部７５は、マイクロコンピュータを有しており、液晶表示部７１の表示制御を行うとともに、信号入力接点７２にから入力された速度信号に基づき走行距離を算出する。表示制御部７５には、表示ケース７０の表面に露出するモードキー７６と選択キー７７とを接続されている。モードキー７６は、各種の表示モードや数値の設定に用いられる。選択キー７７は、設定する表示モードや数値を選択するためのものである。また、表示内容を夜間でもみやすくするために、ＬＥＤやＥＬ素子を発光体とするバックライトをさらに有するのが好ましい。
【００４２】
このように構成された照明装置１０にサイクルコンピュータ１１を装着する際には、まず照明装置１０から蓋部材４３を取り外して装置装着部４２を外部に露出させる。この状態でサイクルコンピュータ１１の装置係止部７０ｂの係止突起７０ｃを装着スリット４２ａに合わせ、突起部７０ｄで弾性係止部４２ｂを係止溝４２ｅに退入するように押圧しながらサイクルコンピュータ１１を装置装着部４２の奥側にスライドさせる。サイクルコンピュータ１１を装置装着部４２の奥までスライドさせると、弾性係止部４２ｂを突起部７０ｄが通過して弾性係止部４２ｂが突起部７０ｄの後端面を係止し、サイクルコンピュータ１１の抜け止めする。これによりサイクルコンピュータ１１が照明装置１０に装着される。このとき、信号入力接点７２が信号出力接点４２ｃと電気的に接続され、かつ電源入力接点７３が電源出力接点４２ｄに電気的に接続され、サイクルコンピュータ１１に照明装置１０から速度データ及び電源の供給が可能になる。
【００４３】
この状態でペダルをこいで自転車を走行させると、前輪６の回転により交流発電機１９が発電し、その電力が直流に変換されて蓄電素子６５に蓄えられるとともに、電源出力接点４２ｄ，電源入力接点７３を介してサイクルコンピュータ１１に供給されサイクルコンピュータ１１が動作可能になる。また、交流発電機１９からの交流はダイナモ波形成形回路６２により波形が成形されて前輪６の回転に応じたパルスを有する回転信号が出力される。その回転信号によりランプ制御部４５が速度データを生成して信号出力接点４２ｃ，信号入力接点７２を介して表示制御部７５に与えられ、液晶表示部７１に自転車の速度が表示される。また、走行に応じた走行距離も表示される。
【００４４】
さらに日没して照度が所定以下になると、照度センサ６０の出力によりランプ制御部４５は、そのことを判断してオートライト回路６１を制御して発光体４１ａ，４１ｂをオンさせる。また、これと同時にその旨を示す信号をランプ制御部４５から表示制御部７５に信号入出力接点４２ｃ，７２を介して出力し、バックライトの制御を自動で行ってもよい。
【００４５】
自転車の駐輪するときなどに、サイクルコンピュータ１１を取り外す際には、着脱操作部４２ｆを押し下げてサイクルコンピュータ１１を後方にスライドさせ取り外す。そして、蓋部材４３を装置装着部４２にサイクルコンピュータ１１と同様な手順で装着して装置装着部４２を保護する。
【００４６】
ここでは、ケース４０の表面に装置装着部４２を設けたので、サイクルコンピュータ１１をケース表面に装着できる。このため、ハンドル部４周りの外観をすっきりした形状にできるとともに、ハンドル部４に照明装置１０とサイクルコンピュータ１１とを容易に取り付けできるようになる。また、サイクルコンピュータ１１の表示を視線を僅かに下方に向けるだけで確認できる。しかも、サイクルコンピュータ１１を装着するためのブラケットを特別に用意しなくてよいので、サイクルコンピュータ１１の構成も簡素になる。
【００４７】
〔他の実施形態〕
（ａ）前記実施形態では、接点を利用して照明装置１０とサイクルコンピュータ１１とを電気的に接続して、速度データをサイクルコンピュータ１１に出力した。本発明はこれに限定されず、図８に示すように、照明装置１０及びサイクルコンピュータ１１１にそれぞれ無線通信部６４，７９を設け、速度に関する信号を無線により送受信するようにしてもよい。この場合、電池７８を電源としてサイクルコンピュータ１１１を動作させてもよい。また、照明装置１０から電源を供給できるようにしてもよい。その場合、接点を使用せずに別に設けられた電源コード等を用いて電力を供給するようにしてもよい。また、この実施形態では、照明装置１０から無線送信されるのは、前輪６の回転に応じた回転信号であり、前記実施形態のように速度データではない。このため、表示制御部７５では、回転信号から速度データや走行距離データを算出し、それを液晶表示部７１に表示する。このように照明装置１０から出力される速度に関する信号は回転信号でも速度データでもよい。
【００４８】
（ｂ）前記実施形態では、発光体としてキセノンバルブやＬＥＤを例示したが、本発明の発光体はこれに限定されず、通常の電球や蛍光灯や他の発光体でもよい。
【００４９】
（ｃ）前記実施形態では、照明装置として前照灯を例示したが、照明装置は前照灯に限定されず、点滅して位置を視認させるような照明装置でもよい。
【００５０】
（ｄ）前記実施形態では、表示装置として速度と走行距離とを表示するサイクルコンピュータを例示したが、表示装置としては、変速位置を示すインジケータや時計などでもよい。もちろんそれらを組み合わせて表示するものでもよい。
【００５１】
（ｅ）前記実施形態では、ケース本体５１をブラケット５０に固定したが、ケース本体５１をブラケット５０に対して着脱自在な構成としてもよい。
【００５２】
（ｆ）前記実施形態では、照明装置の電源として自転車の前輪に装着されたダイナモハブの交流発電機を用いたが、電池等の電源を用いた照明装置にも本発明を適用できる。
【図面の簡単な説明】
【００５３】
【図１】本発明の一実施形態が採用された自転車の側面図。
【図２】本発明の一実施形態による照明装置にサイクルコンピュータを装着した状態の側面図。
【図３】その平面図。
【図４】照明装置の平面図。
【図５】サイクルコンピュータの底面図。
【図６】照明装置及びサイクルコンピュータの正面図。
【図７】照明装置及びサイクルコンピュータの制御系の構成を示すブロック図。
【図８】他の実施形態の図７相当する図。
【符号の説明】
【００５４】
１０  照明装置
１１  サイクルコンピュータ
１９  交流発電機
４０  ケース
４１ａ，４１ｂ  発光体
４２  装置装着部
４２ｃ  信号出力接点
４２ｄ  電源出力接点
４５  ランプ制御部
５０  ブラケット
５１  ケース本体
６０  照度センサ
７０  表示ケース
７１  液晶表示部
７２  信号入力接点
７３  電源入力接点
７５  表示制御部
【図１】
2005225426.tif 000003
【図２】
2005225426.tif 000004
【図３】
2005225426.tif 000005
【図４】
2005225426.tif 000006
【図５】
2005225426.tif 000007
【図６】
2005225426.tif 000008
【図７】
2005225426.tif 000009
【図８】
2005225426.tif 000010